(57)【要約】【課題】取り付けや交換を行いやすい灯柱モジュール及び灯柱モジュール付き球体を提供する。【解決手段】灯柱モジュール付き球体Ｍは、内球体１０及び灯柱モジュール２０を含む。内球体１０は透光球体である。灯柱モジュール２０は、キャップ２１、発光灯柱２２及び弾性片２３を含む。キャップ２1には、係合ブロック２１１が形成されている。内球体１０の開口１３の内周縁には、環形係合部材１４が凸設され、環形係合部材１４には切り欠き１４１１が形成されている。係合ブロック２１は、切り欠き１４１１を介して環形係合部材１４に入り込む。係合ブロック２１は、回転溝１４１２に沿って円弧運動した後に、弾性片２３が環形係合部材１４を下方へ押し付ける弾性力により、係合溝１４１３と係合する。【選択図】図１
0003234716.tif 000002
【実用新案登録請求の範囲】
【請求項１】
透光球体である内球体と、
前記内球体に設けられる灯柱モジュールと、
を含み、
前記灯柱モジュールは、
向かい合った前後両側縁にそれぞれ外へ延びる二つの向かい合った係合ブロックが形成されるキャップと、
前記キャップに伸び込まれた発光灯柱と、
前記発光灯柱及び前記キャップを通し、向かい合った両端がそれぞれ前記キャップの向かい合った左右両側縁から伸び出される弾性片と、
を含み、
前記内球体は開口を有し、
前記灯柱モジュールの前記発光灯柱は前記開口を経由して前記内球体の内部に伸び込み、
前記開口の内周縁には環形係合部材が凸設され、
前記環形係合部材には二つの向かい合った切り欠き式回転係合溝が形成され、
二つの前記係合ブロックはそれぞれ二つの前記切り欠き式回転係合溝を介して前記環形係合部材に入り込み、
前記弾性片の両端が下方へ前記環形係合部材を押し付ける時に与えられた弾性力により、二つの前記係合ブロックはそれぞれ二つの前記切り欠き式回転係合溝に沿って円弧運動した後に上方へ前記環形係合部材に弾性的に係合当接される、灯柱モジュール付き球体。
【請求項２】
前記キャップの頂部には下方へ凹む弧形溝が凹設される、請求項１に記載の灯柱モジュール付き球体。
【請求項３】
前記キャップの底部には上方へ凹む結合溝が凹設され、
前記キャップの向かい合った両側縁には二つの開放溝が開設され、
二つの前記開放溝は前記結合溝に連通され、
前記発光灯柱は柱体及び前記柱体に凸設された結合柱を有し、
前記結合柱の頂部には嵌合溝が開設され、
前記結合柱の向かい合った両側縁には二つの細長溝が開設され、
二つの前記細長溝は前記嵌合溝に連通され、
前記発光灯柱の前記結合柱は前記キャップの前記結合溝に伸び込み、
二つの前記細長溝はそれぞれ二つの前記開放溝を連通する、請求項１に記載の灯柱モジュール付き球体。
【請求項４】
前記弾性片はＶ形を呈し、二つの弾性当接部及び二つの前記弾性当接部の間にあるアーチ部を有し、
前記アーチ部は上方へ前記嵌合溝に嵌り込み、
各前記弾性当接部は対応する前記細長溝及び前記開放溝を通す、請求項３に記載の灯柱モジュール付き球体。
【請求項５】
前記発光灯柱の前記結合柱には環形発光回路基板が更に嵌設され、
前記環形発光回路基板には複数の発光ダイオードが設けられ、
前記発光灯柱の前記柱体の外周縁には複数の導光斜面が形成され、
複数の前記導光斜面はそれぞれ複数の前記発光ダイオードに対応する、請求項３に記載の灯柱モジュール付き球体。
【請求項６】
前記発光灯柱の前記柱体には電池を取り付けるための電池溝が更に形成され、
前記発光灯柱の前記柱体には前記電池溝を覆うための導光スリーブが更に嵌設される、請求項３に記載の灯柱モジュール付き球体。
【請求項７】
各前記切り欠き式回転係合溝は切り欠き、係合溝及び前記切り欠きと前記係合溝との間に連通する回転溝を有し、
各前記係合ブロックは対応する前記切り欠きを経由して対応する前記切り欠き式回転係合溝に入り込み、前記回転溝に沿って回転した後に上方へ前記係合溝に弾性的に係合当接される、請求項１に記載の灯柱モジュール付き球体。
【請求項８】
前記内球体の内部には圧力分散構造が設けられ、
前記圧力分散構造は類ハニカム状に連結された複数の支持板を含み、
複数の前記支持板の硬度は３０〜８０度である、請求項１に記載の灯柱モジュール付き球体。
【請求項９】
前記内球体は弾性材料で作成されたものである、請求項８に記載の灯柱モジュール付き球体。
【請求項１０】
前記内球体の表面を被覆する被覆層を更に含み、
前記被覆層には少なくとも一つの縫目及び前記少なくとも一つの縫目の両側辺にある複数の縫い孔が形成されている、請求項１に記載の灯柱モジュール付き球体。
【請求項１１】
二つの向かい合った切り欠き式回転係合溝が形成された環形係合部材が内周縁に凸設される開口を有する内球体に設けられるための灯柱モジュールであって、
向かい合った前後両側縁にそれぞれ外へ延びる二つの向かい合った係合ブロックが形成されるキャップと、
前記キャップに伸び込まれた発光灯柱と、
前記発光灯柱及び前記キャップを通し、向かい合った両端がそれぞれ前記キャップの向かい合った左右両側縁から伸び出される弾性片と、
を含み、
前記灯柱モジュールの前記発光灯柱は前記開口を経由して前記内球体の内部に伸び込み、
二つの前記係合ブロックはそれぞれ二つの前記切り欠き式回転係合溝を介して前記環形係合部材に入り込み、
前記弾性片の両端が下方へ前記環形係合部材を押し付ける時に与えられた弾性力により、二つの前記係合ブロックはそれぞれ二つの前記切り欠き式回転係合溝に沿って円弧運動した後に上方へ前記環形係合部材に弾性的に係合当接される、灯柱モジュール。
【請求項１２】
前記キャップの頂部には下方へ凹む弧形溝が凹設される、請求項１１に記載の灯柱モジュール。
【請求項１３】
前記キャップの底部には上方へ凹む結合溝が凹設され、
前記キャップの向かい合った両側縁には二つの開放溝が開設され、
二つの前記開放溝は前記結合溝に連通され、
前記発光灯柱は柱体及び前記柱体に凸設された結合柱を有し、
前記結合柱の頂部には嵌合溝が開設され、
前記結合柱の向かい合った両側縁には二つの細長溝が開設され、
二つの前記細長溝は前記嵌合溝に連通され、
前記発光灯柱の前記結合柱は前記キャップの前記結合溝に伸び込み、
二つの前記細長溝はそれぞれ二つの前記開放溝を連通する、請求項１２に記載の灯柱モジュール。
【請求項１４】
前記弾性片はＶ形を呈し、二つの弾性当接部及び二つの前記弾性当接部の間にあるアーチ部を有し、
前記アーチ部は上方へ前記嵌合溝に嵌り込み、
各前記弾性当接部は対応する前記細長溝及び前記開放溝を通す、請求項１３に記載の灯柱モジュール。
【請求項１５】
前記発光灯柱の前記結合柱には環形発光回路基板が更に嵌設され、
前記環形発光回路基板には複数の発光ダイオードが設けられ、
前記発光灯柱の前記柱体の外周縁には複数の導光斜面が形成され、
複数の前記導光斜面はそれぞれ複数の前記発光ダイオードに対応する、請求項１４に記載の灯柱モジュール。
【請求項１６】
前記発光灯柱の前記柱体には電池を取り付けるための電池溝が更に形成され、
前記発光灯柱の前記柱体には前記電池溝を覆うための導光スリーブが更に嵌設される、請求項１５に記載の灯柱モジュール。
【請求項１７】
前記キャップと前記発光灯柱は一体に形成されたものである、請求項１１に記載の灯柱モジュール。
【考案の詳細な説明】
【技術分野】
【０００１】
本考案は灯柱及び球体に関し、特に灯柱モジュール及び灯柱モジュール付き球体に関する。
【背景技術】
【０００２】
夜間又は光線不足の環境下で野球運動やソフトボール運動を行うことができるために、光線不足の環境下でも用いられる発光可能な球体のような球類商品は市販されている。しかし、このような球類商品は一般的には交換可能な灯柱モジュールを有しない。たとえいくつかの球類商品は交換可能な灯柱モジュールを有しても、一般的には取り付けや交換を行いにくい。
【０００３】
それゆえに、本考案人は上述した課題が改善可能であるものと考え、鋭意に研究し科学原理をも適用して設計合理で且つ上述した課題を有効に改善できる本考案を提出する。
【先行技術文献】
【特許文献】
【０００４】
【特許文献１】特表２０１９−５０６９９０号公報
【考案の概要】
【考案が解決しようとする課題】
【０００５】
本考案が解決しようとする技術的課題は、既存技術の不足点に対し灯柱モジュール及び灯柱モジュール付き球体を提供する。
【課題を解決するための手段】
【０００６】
上述した技術的課題を解決するために、本考案の一態様は、透光球体である内球体と、前記内球体に設けられる灯柱モジュールと、を含み、前記灯柱モジュールは、向かい合った前後両側縁にそれぞれ外へ延びる二つの向かい合った係合ブロックが形成されるキャップと、前記キャップに伸び込まれた発光灯柱と、前記発光灯柱及び前記キャップを通し、向かい合った両端がそれぞれ前記キャップの向かい合った左右両側縁から伸び出される弾性片と、を含み、前記内球体は開口を有し、前記灯柱モジュールの前記発光灯柱は前記開口を経由して前記内球体の内部に伸び込み、前記開口の内周縁には環形係合部材が凸設され、前記環形係合部材には二つの向かい合った切り欠き式回転係合溝が形成され、二つの前記係合ブロックはそれぞれ二つの前記切り欠き式回転係合溝を介して前記環形係合部材に入り込み、前記弾性片の両端が下方へ前記環形係合部材を押し付ける時に与えられた弾性力により、二つの前記係合ブロックはそれぞれ二つの前記切り欠き式回転係合溝に沿って円弧運動した後に上方へ前記環形係合部材に弾性的に係合当接される、灯柱モジュール付き球体を提供する。
【０００７】
好ましい一態様において、前記キャップの頂部は下方へ凹む弧形溝が凹設される。
【０００８】
好ましい一態様において、前記キャップの底部には上方へ凹む結合溝が凹設され、前記キャップの向かい合った両側縁には二つの開放溝が開設され、二つの前記開放溝は前記結合溝に連通され、前記発光灯柱は柱体及び前記柱体に凸設された結合柱を有し、前記結合柱の頂部には嵌合溝が開設され、前記結合柱の向かい合った両側縁には二つの細長溝が開設され、二つの前記細長溝は前記嵌合溝に連通され、前記発光灯柱の前記結合柱は前記キャップの前記結合溝に伸び込み、且つ二つの前記細長溝はそれぞれ二つの前記開放溝を連通する。
【０００９】
好ましい一態様において、前記弾性片はＶ形を呈し、二つの弾性当接部及び二つの前記弾性当接部の間にあるアーチ部を有し、前記アーチ部は上方へ前記嵌合溝に嵌り込み、各前記弾性当接部は対応する前記細長溝及び前記開放溝を通す。
【００１０】
好ましい一態様において、前記発光灯柱の前記結合柱には環形発光回路基板が嵌設され、前記環形発光回路基板には複数の発光ダイオードが設けられ、前記発光灯柱の前記柱体の外周縁には複数の導光斜面が形成され、複数の前記導光斜面はそれぞれ複数の前記発光ダイオードに対応する。
【００１１】
好ましい一態様において、前記発光灯柱の前記柱体には電池を取り付けるための電池溝が更に形成され、前記発光灯柱の前記柱体には前記電池溝を覆うための導光スリーブが更に嵌設される。
【００１２】
好ましい一態様において、各前記切り欠き式回転係合溝は切り欠き、係合溝、及び前記切り欠きと前記係合溝との間に連通する回転溝を有し、各前記係合ブロックは対応する前記切り欠きを経由して対応する前記切り欠き式回転係合溝に入り込み、前記回転溝に沿って回転した後に上方へ前記係合溝に弾性的に係合当接される。
【００１３】
好ましい一態様において、前記内球体の内部には圧力分散構造が設けられ、前記圧力分散構造は類ハニカム状に連結された複数の支持板を含み、複数の前記支持板の硬度（Ｓｈｏｒｅ  Ｄ）は３０〜８０度である。
【００１４】
好ましい一態様において、前記内球体は弾性材料で作成されたものである。
【００１５】
好ましい一態様において、灯柱モジュール付き球体は、前記内球体の表面を被覆するための被覆層を更に含み、前記被覆層には少なくとも一つの縫目及び前記少なくとも一つの縫目の両側辺にある複数の縫い孔が形成される。
【００１６】
上述した技術的課題を解決するために、本考案の一態様は、二つの向かい合った切り欠き式回転係合溝が形成された環形係合部材が内周縁に凸設される開口を有する内球体に設けられるための灯柱モジュールであって、向かい合った前後両側縁にそれぞれ外へ延びる二つの向かい合った係合ブロックが形成されるキャップと、前記キャップに伸び込まれた発光灯柱と、前記発光灯柱及び前記キャップを通し、向かい合った両端がそれぞれ前記キャップの向かい合った左右両側縁から伸び出される弾性片と、を含み、前記灯柱モジュールの前記発光灯柱は前記開口を経由して前記内球体の内部に伸び込み、二つの前記係合ブロックはそれぞれ二つの前記切り欠き式回転係合溝を介して前記環形係合部材に入り込み、前記弾性片の両端が下方へ前記環形係合部材を押し付ける時に与えられた弾性力により、二つの前記係合ブロックはそれぞれ二つの前記切り欠き式回転係合溝に沿って円弧運動した後に上方へ前記環形係合部材に弾性的に係合当接される、灯柱モジュールを提供する。
【００１７】
本考案の優れた効果は以下の通りである。本考案に係る灯柱モジュール及び灯柱モジュール付き球体において、弾性片は発光灯柱及びキャップを通し、弾性片の向かい合った両端はそれぞれキャップの向かい合った左右両側縁から伸びだし、キャップの向かい合った前後両側縁にはそれぞれ外へ延びて二つの向かい合った係合ブロックが形成される。これによれば、灯柱モジュールが球体に結合されると、弾性片は下方へ押し付けられて変形し、キャップの二つの係合ブロックをそれぞれ二つの切り欠き式回転係合溝に沿って時計回りに円弧運動させた後に上方へ環形係合部材に弾性的に係合当接させることによって、使用者が灯柱モジュールを取り付けやすい。又、灯柱モジュールを球体から離脱させようとすると、弾性片は下方へ押し付けられて変形し、キャップの二つの係合ブロックをそれぞれ二つの切り欠き式回転係合溝に沿って反時計回りに円弧運動させた後に弾性的に環形係合部材から離脱させることによって、使用者が灯柱モジュールを容易に交換することができる。
【００１８】
本考案の特徴及び技術的内容をより明瞭に理解するために、以下の関連する本考案の詳細な説明と図面を参酌する。しかしながら、添付の図面は参考と説明に用いられるためのものにすぎず、本考案を制限するものではない。
【図面の簡単な説明】
【００１９】
【図１】図１は本考案の第一実施例の灯柱モジュール付き球体の部分斜視分解図である。
【図２】図２は本考案の第一実施例の内球体の平面模式図である。
【図３】図３は本考案の第一実施例の灯柱モジュール付き球体の組み合わせ図である。
【図４】図４は図３におけるＩＶ−ＩＶ線に沿った断面図である。
【図５】図５は本考案の第一実施例の灯柱モジュール付き球体の他の組み合わせ図である。
【図６】図６は図５におけるＶＩ−ＶＩ線に沿った断面図である。
【図７】図７は本考案の第一実施例の灯柱モジュールの斜視分解図である。
【図８】図８は本考案の第一実施例の灯柱モジュールの他の斜視分解図である。
【図９】図９は本考案の第一実施例の灯柱モジュールの斜視断面図である。
【図１０】図１０は本考案の第二実施例の灯柱モジュール付き球体の平面模式図である。
【図１１】図１１は本考案の第三実施例の灯柱モジュール付き球体の斜視模式図である。
【考案を実施するための形態】
【００２０】
以下、特定の具体的実施例により本考案で開示された実施形態を説明する。業者は本明細書で開示された内容により本考案の利点と効果を理解することができる。本考案は他の異なる具体的実施例で実施され又は適用されることができる。本明細書における各詳細な説明は異なる観点と適用に基づいて本考案の要旨を逸脱しないことで各種の変形と変更を加えられてもよい。又、先に説明するのは本考案の図面が簡単な模式的説明に用いられるためのものにすぎず、実際の寸法に基づいて描かれたものではない。以下の実施形態はより詳細に本考案の関連する技術的内容を説明するものの、開示された内容は本考案の保護範囲を制限するためのものではない。
【００２１】
［第一実施例］
図１乃至図９を参照し、本考案は灯柱モジュール付き球体Ｍ（以下は球体Ｍと略称する）を提供する。灯柱モジュール付き球体Ｍは主として、内球体１０と、内球体１０に設けられた灯柱モジュール２０とを含む。
【００２２】
内球体１０は透明で弾性的材料で作成されてもよいが、これに限定されていない。内球体１０が従来の硬式野球やソフトボールに近い手触り感と打撃感を有することを維持するために、内球体１０は従来の硬式野球やソフトボールの内球体に近い直径を有するものに設計される。又、内球体１０の材質の選択に応じて、内球体１０は従来の硬式野球やソフトボールの内球体に近い重量及び弾性係数を有する。又、内球体１０は軟性材料で作成されてセーフティボールに近くてもよい。なお、内球体１０は高透光性の熱可塑性ポリウレタンエラストマーゴム（Ｔｈｅｒｍｏｐｌａｓｔｉｃ  ｐｏｌｙｕｒｅｔｈａｎｅｓ、ＴＰＵ）で作成されてもよい。本実施例の内球体１０は互いに組み合わせる第一半球体１１及び第二半球体１２を有してもよい。そして、第一半球体１１と第二半球体１２は熱溶融方式で一体に接合されてもよい。
【００２３】
図２に示すように、本実施例において、内球体１０は開口１３を有する。開口１３の内周縁には環形係合部材１４が凸設される。環形係合部材１４には二つの向かい合った切り欠き式回転係合溝１４１が形成されている。
【００２４】
図１に示すように、灯柱モジュール２０はキャップ２１、発光灯柱２２及び弾性片２３を含む。他の実施例で、キャップ２１と発光灯柱２２は一体に形成された柱状体であってもよく、例えばインサート射出で一体に形成されてもよい。なお、発光灯柱２２は発光しなくてもよい。即ち、発光灯柱２２は、例えば三軸加速度計、ジャイロ等の柱状のセンサーであってもよいが、これに限定されない。
【００２５】
図７乃至図９に示すように、発光灯柱２２はキャップ２１に伸び込んでいる。弾性片２３は発光灯柱２２及びキャップ２１を通す。弾性片２３の向かい合った両端はそれぞれキャップ２１の向かい合った左右両側縁から伸びだす。キャップ２１の向かい合った前後両側縁にはそれぞれ外へ延びて二つの向かい合った係合ブロック２１１が形成されている。好ましくは、弾性片２３は所望の弾性力を与える金属弾性片である。他の実施例で、弾性片２３は適切なプラスチックを採用してもよい。
【００２６】
図３乃至図６に示すように、灯柱モジュール２０の発光灯柱２２は開口１３を経由して内球体１０の内部に伸び込む。二つの係合ブロック２１１はそれぞれ二つの切り欠き式回転係合溝１４１を介して環形係合部材１４に入り込む。弾性片２３の両端が環形係合部材１４に当接する時に与えられた弾性力により、二つの係合ブロック２１１はそれぞれ二つの切り欠き式回転係合溝１４１に沿って円弧運動した後に上方へ環形係合部材１４に弾性的に係合当接される（如図６）。
【００２７】
従って、使用者が下方へキャップ１０を押圧すると、弾性片２３は下方へ押し付けられて変形し、キャップ１０の二つの係合ブロック２１１はそれぞれ二つの切り欠き式回転係合溝１４１に沿って時計回りに円弧運動した後に上方へ環形係合部材１４に弾性的に係合当接し、或いは、キャップ１０の二つの係合ブロック２１１はそれぞれ二つの切り欠き式回転係合溝１４１に沿って反時計回りに円弧運動した後に弾性的に環形係合部材１４から離脱する。これにより、使用者は灯柱モジュール２０を容易に取り付けたり交換したりすることができる。
【００２８】
更に言えば、キャップ２１の頂部には弧形溝２１２が凹設される。これにより、使用者は硬貨で弧形溝２１２に伸び込んで下方へキャップ２１を押圧してキャップ２１を回動することができる。
【００２９】
なお、キャップ２１の底部には結合溝２１４が凹設される。キャップ２１の向かい合った両側縁には二つの開放溝２１３が開設される。二つの開放溝２１３は結合溝２１４に連通される。発光灯柱２２は柱体２２１及び柱体２２１に凸設された結合柱２２２を有する。結合柱２２２の頂部には嵌合溝２２２１が開設される。結合柱２２２の向かい合った両側縁には二つの細長溝２２２２が開設される。二つの細長溝２２２２は嵌合溝２２２１に連通される。発光灯柱２２の結合柱２２２はキャップ２１の結合溝２１４に伸び込む。二つの細長溝２２２２はそれぞれ二つの開放溝２１３を連通する。
【００３０】
そして、弾性片２３は略Ｖ形を呈する。二つの弾性当接部２３１及び二つの弾性当接部２３１の間にあるアーチ部２３２を有する。アーチ部２３２は上方へ嵌合溝２２２１に嵌り込み、各弾性当接部２３１は対応する細長溝２２２及び開放溝２１３を通す。従って、弾性当接部２３１が対応する細長溝２２２及び開放溝２１３を通すことにより、結合柱２２２は外力で引っ張って結合溝２１４から離脱することがなく、細長溝２２２２及び開放溝２１３は弾性当接部２３１の上下弾性的揺れにリミット機能を果たす。
【００３１】
発光灯柱２２の結合柱２２２には環形発光回路基板２２３が更に嵌設される。環形発光回路基板２２３は複数の発光ダイオードＤが設けられても良い。発光灯柱２２の柱体２２１の外周縁には複数の導光斜面２２１１が形成される。複数の導光斜面２２１１はそれぞれ複数の発光ダイオードＤに対応する。
【００３２】
なお、発光灯柱２２の柱体２２１には電池Ｂを取り付けるための電池溝２２１２が更に形成されている。発光灯柱２２の柱体２２１には更に電池溝２２１２を覆う導光スリーブ２２４が嵌設される。これにより、電池Ｂの離脱を防げるだけではなく、導光に用いられることもできる。
【００３３】
又、各切り欠き式回転係合溝１４１は切り欠き１４１１、係合溝１４１３、及び切り欠き１４１１と係合溝１４１３との間に連通された回転溝１４１２を有する。係合ブロック２１１は切り欠き１４１１を経由して環形係合部材１４で形成された切り欠き式回転係合溝１４１に入り込み、回転溝１４１２に沿って回転した後に上方へ係合溝１４１３に弾性的に係合当接される。
【００３４】
［第二実施例］
図１０は本考案の第二実施例を示す。第二実施例において、内球体１０の内部には圧力分散構造１０１が設けられる。圧力分散構造１０１は類ハニカム状を呈する。即ち、圧力分散構造１０１は、内球体１０の耐衝撃能力を向上するために、類ハニカム状に連結された複数の支持板１０１１を含む。各支持板１０１１の硬度（Ｓｈｏｒｅ  Ｄ）は３０〜８０度である。更に圧力分散構造１０１の支持板１０１１は内球体１０の重量及び弾性を調整することで内球体１０の重量と弾性を従来の硬式野球やソフトボールに近い状態にさせることができる。又、圧力分散構造１０１の支持板１０１１にはそれぞれ均一に導光粉が分布されてもよい。これにより、支持板１０１１を透過する光線は柔らかく且つ分布が均一である。なお、その中の一つの発光ダイオードＤが壊れると、他の発光ダイオードＤは支持板１０１１による導光で、壊れた発光ダイオードＤの対応する球面を完全に暗くさせない。
【００３５】
［第三実施例］
図１１は本考案の第三実施例を示す。第三実施例において、球体Ｍは、例えばソフトボールの外皮のような被覆層４０を更に有する。また、被覆層４０は部分的に透光可能な透光層であってもよく、全部的に透光可能な透光層であってもよい。被覆層４０は図３のような内球体１０表面を被覆して図１１のような状態になる。なお、被覆層４０には少なくとも一つの縫目４１、及び縫目４１の両側辺にある複数の縫い孔４２が形成されている。これにより、光線は縫目４１、縫い孔４２、又は被覆層４０から発することによって、球体Ｍの表面において縫目４１、縫い孔４２、或被覆層４０から光が発する。これにより、使用者は光線不足や夜間環境でも確実に球体Ｍの表面から発する光線により球体Ｍの飛行や移動の経路を判断することができる。
【００３６】
纏めて言えば、本考案に係る灯柱モジュールは弾性片が発光灯柱及びキャップを通し、弾性片の向かい合った両端がそれぞれキャップの向かい合った左右両側縁から伸びだし、キャップの向かい合った前後両側縁にそれぞれ外へ延びる二つの向かい合った係合ブロックが形成されるようにしている。灯柱モジュールが球体に結合されると、弾性片は下方へ押圧されて変形し、キャップの二つの係合ブロックがそれぞれ二つの切り欠き式回転係合溝に沿って時計回りに円弧運動した後に上方へ環形係合部材に弾性的に係合当接する。これにより、使用者は灯柱モジュールを容易に取り付けることができる。又、灯柱モジュールを球体から離脱させようとすると、弾性片は下へ押圧されて変形し、キャップの二つの係合ブロックはそれぞれ二つの切り欠き式回転係合溝に沿って反時計回りに円弧運動した後に弾性的に環形係合部材から離脱する。これにより、使用者は灯柱モジュールを容易に交換することができる。
【００３７】
以上の説明は本考案の好ましい態様にすぎず、本考案の実用新案登録請求の範囲はこれに限定されていない。本考案の明細書及び図面の内容から成された等価的な技術的変形はいずれも本考案の保護範囲内に含まれる。
【符号の説明】
【００３８】
１０    内球体
１０１    圧力分散構造
１０１１    支持板
１１    第一半球体
１２    第二半球体
１３    開口
１４    環形係合部材
１４１    切り欠き式回転係合溝
１４１１    切り欠き
１４１２    回転溝
１４１３    係合溝
２０    灯柱モジュール
２１    キャップ
２１１    係合ブロック
２１２    弧形溝
２１３    開放溝
２１４    結合溝
２２    発光灯柱
２２１    柱体
２２１１    導光斜面
２２１２    電池溝
２２２    結合柱
２２２１    嵌合溝
２２２２    細長溝
２２３    環形発光回路基板
２２４    導光スリーブ
２３    弾性片
２３１    弾性当接部
２３２    アーチ部
４０    被覆層
４１    縫目
４２    縫い孔
Ｂ    電池
Ｄ    発光ダイオード
Ｍ    灯柱モジュール付き球体
【図１】
0003234716.tif 000003
【図２】
0003234716.tif 000004
【図３】
0003234716.tif 000005
【図４】
0003234716.tif 000006
【図５】
0003234716.tif 000007
【図６】
0003234716.tif 000008
【図７】
0003234716.tif 000009
【図８】
0003234716.tif 000010
【図９】
0003234716.tif 000011
【図１０】
0003234716.tif 000012
【図１１】
0003234716.tif 000013